(57)【要約】【課題】  設置空間を大きくすることなく且つ低コストで透過原稿の内容の確認と読み取りとが可能な画像読み取り装置を提供する。【解決手段】  原稿が載置される原稿載置面を有する透明なプラテンと、前記プラテンを挟んで前記原稿載置面とは逆側に設けられるキャリッジと、前記プラテンを挟んで前記原稿載置面の側に設けられ、前記プラテンに載置されている透過原稿を照明する第一の光源と、前記第一の光源から放射され前記透過原稿を透過した光を光電変換して前記透過原稿を表す画像信号を出力するイメージセンサと、前記キャリッジに搭載され前記プラテンに向けて面均一な光を放射する面光源と、前記キャリッジを前記プラテンに平行に搬送する搬送部であって、前記面光源が前記原稿載置面を照明する位置で前記キャリッジを停止する搬送部と、を備える。【選択図】    図１
2006253926.tif 000002
【特許請求の範囲】
【請求項１】
原稿が載置される原稿載置面を有する透明なプラテンと、
前記プラテンを挟んで前記原稿載置面とは逆側に設けられるキャリッジと、
前記プラテンを挟んで前記原稿載置面の側に設けられ、前記プラテンに載置されている透過原稿を照明する第一の光源と、
前記第一の光源から放射され前記透過原稿を透過した光を光電変換して前記透過原稿を表す画像信号を出力するイメージセンサと、
前記キャリッジに搭載され前記プラテンに向けて面均一な光を放射する面光源と、
前記キャリッジを前記プラテンに平行に搬送する搬送部であって、前記面光源が前記原稿載置面を照明する位置で前記キャリッジを停止する搬送部と、
を備えることを特徴とする画像読み取り装置。
【請求項２】
前記キャリッジを停止させる位置を選択する位置選択手段を更に備え、
前記搬送部は、前記キャリッジを前記位置選択手段で選択された位置で停止することを特徴とする請求項１に記載の画像読み取り装置。
【請求項３】
前記キャリッジに搭載され、前記プラテンに載置されている反射原稿の主走査線上を照明する第二の光源を更に備えることを特徴とする請求項１又は２に記載の画像読み取り装置。
【請求項４】
前記面光源は、前記第二の光源から放射された光の一部を面均一に放射することを特徴とする請求項３に記載の画像読み取り装置。
【発明の詳細な説明】
【技術分野】
【０００１】
本発明は、画像読み取り装置に関する。
【背景技術】
【０００２】
一般にポジフィルム、ネガフィルムなどの透過原稿を画像読み取り装置に読み取らせる場合、間違った透過原稿を読み取らせてしまわないよう、ユーザは読み取らせる前に透過原稿の内容を確認している。この確認は、例えばライトテーブルなどの専用のビューワを用いたり、あるいは蛍光管ランプなどの光にフィルムを透かしたりすることで行っている。ライトテーブルとは、ガラス板などの原稿台の下に面均一な光を放射する面光源を備えたものであって、透過原稿を原稿台上に載置して内容を確認するためのものである。ライトテーブルを用いると、蛍光管ランプなどに透かして確認する場合に比べて確認が容易である。しかしながら、ライトテーブルを用いるためには画像読み取り装置とは別にライトテーブルを用意しなければならないという問題がある。
【０００３】
特許文献１には、ライトテーブルが一体化された画像読み取り装置が開示されている。特許文献１に記載の画像読み取り装置は壁掛けタイプの画像読み取り装置であり、透過原稿の上端をクリップで挟んで吊し、クリップをスライドさせて透過原稿をライトボックス（ライトテーブル）の前に移動させることで透過原稿の内容を確認するものである。また、特許文献１に記載の画像読み取り装置は、ライトボックスの隣にプラテンが独立して設けられている。特許文献１に記載の画像読み取り装置ではクリップを搬送することによって透過原稿がプラテンの前を通過し、それにより読み取り対象範囲（主走査範囲）が移動して透過原稿が読み取られる。すなわち、特許文献１に記載の画像読み取り装置は、所謂シートフィード型の画像読み取り装置である。
【０００４】
【特許文献１】米国特許第６２０８４３７号明細書
【発明の開示】
【発明が解決しようとする課題】
【０００５】
しかしながら、特許文献１に記載の画像読み取り装置によると、透過原稿の読み取り終わった部分が画像読み取り装置からはみ出すので、画像読み取り装置の横に読み取り可能な最大サイズの透過原稿の幅分の空間が必要である。すなわち、特許文献１に記載の画像読み取り装置では、最大サイズの透過原稿とほぼ同じ大きさのライトボックスの空間と、画像読み取り装置の横に最大サイズの透過原稿の幅分の空間とが必要であり、少なくとも最大サイズの透過原稿２つ分の設置空間が必要である。従って、画像読み取り装置の設置空間が大きくなるという問題がある。更に、特許文献１に記載の画像読み取り装置では、ライトボックスは読み取り可能な最大サイズの透過原稿全体を面均一に照明するので、最大サイズの透過原稿全体を面均一に照明できる大きさの面光源が必要であり、透過原稿の内容を確認するためのコストが増大するという問題もある。
本発明は、かかる事情に鑑みて創作されたものであって、設置空間を大きくすることなく且つ低コストで透過原稿の内容の確認と読み取りとが可能な画像読み取り装置を提供することを目的とする。
【課題を解決するための手段】
【０００６】
上記目的を達成するため、本発明に係る画像読み取り装置は、原稿が載置される原稿載置面を有する透明なプラテンと、前記プラテンを挟んで前記原稿載置面とは逆側に設けられるキャリッジと、前記プラテンを挟んで前記原稿載置面の側に設けられ、前記プラテンに載置されている透過原稿を照明する第一の光源と、前記第一の光源から放射され前記透過原稿を透過した光を光電変換して前記透過原稿を表す画像信号を出力するイメージセンサと、前記キャリッジに搭載され前記プラテンに向けて面均一な光を放射する面光源と、前記キャリッジを前記プラテンに平行に搬送する搬送部であって、前記面光源が前記原稿載置面を照明する位置で前記キャリッジを停止する搬送部と、を備える。本発明によると、原稿台に載置されている透過原稿を読み取るので、透過原稿を搬送する必要がなく、画像読み取り装置の横に読み取り可能な最大サイズの透過原稿の幅分の空間が必要ない。すなわち本発明では設置空間は概ね最大サイズの透過原稿１つ分でよいので、設置空間を小さくできる。また、キャリッジに面光源を搭載しているので、面光源を移動することにより、透過原稿より小さい面光源で透過原稿全体を確認できる。よって、透過原稿の内容を確認するためのコストを低減できる。
【０００７】
さらに本発明に係る画像読み取り装置では、前記キャリッジを停止させる位置を選択する位置選択手段を更に備え、前記搬送部は、前記キャリッジを前記位置選択手段で選択された位置で停止する。本発明によると、ユーザは面光源で照明する位置を選択できる。
さらに本発明に係る画像読み取り装置では、前記キャリッジに搭載され、前記プラテンに載置されている反射原稿の主走査線上を照明する第二の光源を更に備える。本発明によると、反射原稿を読み取ることもできる。
【０００８】
さらに本発明に係る画像読み取り装置では、前記面光源は、前記第二の光源から放射された光の一部を面均一に放射する。本発明によると、面光源は第二の光源から放射された光の一部を面均一に放射するので、面光源自体が光源を備える必要がない。よって、画像読み取り装置のコストを低減できる。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【０００９】
以下、複数の実施例に基づいて本発明の実施の形態を説明する。各実施例において同一の符号が付された構成要素は、その符号が付された他の実施例の構成要素と対応する。
（第一実施例）
図１は、本発明の第一実施例に係る画像読み取り装置としてのイメージスキャナ１の内部構造を示す模式図である。イメージスキャナ１は、プラテンとしての原稿台１０に載置された原稿を読み取る所謂フラットベッド型である。
【００１０】
原稿台１０はガラス板などの透明板で形成され、上を向く面（原稿載置面）１０ａに印刷文書、写真、書籍などの反射原稿や、３５ｍｍストリップフィルム、３５ｍｍマウントフィルムなどの透過原稿が載置される。
透過原稿照明部１１は、原稿カバー１２の原稿台１０側に配置されている。透過原稿照明部１１は、第一の光源としての透過原稿用光源１１ａ、図示しない拡散板、図示しない反射板等を備える。透過原稿用光源１１ａは白色冷陰極蛍光ランプなどの照明装置であり、その長手方向軸線がキャリッジ１３のガイドロッド１４の中心軸線と平行に延びるように配置される。これにより、透過原稿照明部１１は透過原稿を均一な照度で照明することができる。
【００１１】
キャリッジ１３は、筐体３９に収容されている。すなわちキャリッジ１３は原稿台１０を挟んで原稿載置面１０ａとは逆側に設けられている。キャリッジ１３は原稿載置面１０ａに対し平行なガイドロッド１４に摺動自在に嵌合している。キャリッジ１３は、第二の光源としての２本の反射原稿用光源１５、ミラー１６、レンズ１７、イメージセンサ１８、および面光源２２を搭載している。キャリッジ１３はキャリッジ搬送用モータ３２ａ（図２参照）によって駆動されるプーリ１９に掛けられたベルト２０に牽引され、原稿載置面１０ａと平行なＸ方向に往復移動する。反射原稿用光源１５は、白色冷陰極蛍光ランプなどの照明装置であり、原稿載置面１０ａに載置された反射原稿を照明する。反射原稿用光源１５、ミラー１６、レンズ１７、及びイメージセンサ１８がキャリッジ１３によってＸ方向に運搬されると、反射原稿上の主走査線が移動する。
【００１２】
ミラー１６、およびレンズ１７は、反射原稿用光源１５に照明された反射原稿の反射光および透過原稿用光源１１ａに照明された透過原稿の透過光をイメージセンサ１８の受光面に入射させる。
イメージセンサ１８は、フォトダイオードなどで構成される図示しないセルが直線的に多数配列された所謂リニアイメージセンサである。イメージセンサ１８は多数のセルが管状の反射原稿用光源１５の中心軸線と平行に並ぶ姿勢でキャリッジ１３に搭載されている。イメージセンサ１８の各セルには受光量に応じた電荷が光電変換により蓄積される。各画素に蓄積された電荷は、ＣＣＤ（Charge Coupled Device）によってイメージセンサ１８の出力部に転送される。この電荷転送は、ＣＭＯＳ（Complementary Metal Oxide Semiconductor）によって行われてもよい。イメージセンサ１８から出力される画像信号は、ＡＦＥ部２１（図２参照）に出力される。
【００１３】
面光源２２は、ライトパイプ３５（図３（Ａ）参照）、反射板３７（図３（Ａ）参照）、拡散板３８（図３（Ａ）参照）などを備える。面光源２２の大きさは原稿載置面１０ａに比べて小さい。従って、面光源２２は原稿載置面１０ａの全体ではなく、原稿載置面１０ａの一部の領域のみを面均一に照明する。面光源２２は透過原稿の読み取り前にユーザが内容を確認するためのものであり、面光源２２が原稿載置面１０ａの一部の領域を面均一に照明することにより、ユーザは原稿載置面１０ａの当該一部の領域上に載置されている透過原稿の内容を容易に確認できる。
【００１４】
図２は、イメージスキャナ１のハードウェアの主要構成を示すブロック図である。
ＣＰＵ２３は、ＲＯＭ２４に記憶されているプログラムを実行してイメージスキャナ１の各部を制御する。ＲＯＭ２４は各種プログラム、各種データなどを記憶する不揮発性のメモリである。これらの各種プログラムや各種データは、所定のサーバからのネットワークを介したダウンロード、図示しないリムーバブルメモリなどのコンピュータ読み取り可能な記憶媒体からの読み出しなどによってＲＯＭ２４に格納される。ＲＡＭ２５は各種プログラム、各種データなどを一時的に記憶するメモリである。ＲＡＭコントローラ３３は、ＣＰＵ２３、ＡＦＥ部２１、画像処理部２６、外部インタフェースコントローラ２７などとＲＡＭ２５との間のデータ転送を制御する。
【００１５】
透過原稿用光源コントローラ２８は、インバータ回路、制御回路などから構成され、透過原稿用光源１１ａの点灯、消灯を制御する。
反射原稿用光源コントローラ２９は、インバータ回路、制御回路などから構成され、反射原稿用光源１５の点灯、消灯を制御する。
面光源コントローラ３０は、インバータ回路、制御回路などから構成され、面光源２２の点灯、消灯を制御する。
【００１６】
イメージセンサコントローラ３１はイメージセンサ１８を駆動するために必要な駆動パルスをイメージセンサ１８に出力する駆動回路であり、例えば同期信号発生器、駆動用タイミングジェネレータなどから構成される。
キャリッジコントローラ３２は、キャリッジ搬送用モータ３２ａ、キャリッジ搬送用モータ駆動回路、制御回路などから構成される。キャリッジコントローラ３２は、ＣＰＵ２３から送信されるキャリッジ搬送制御信号を受信し、キャリッジ搬送用モータ３２ａの回転方向、回転速度などを制御する。
【００１７】
アナログフロントエンド（ＡＦＥ）部２１は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理などを行ってディジタル化されたスキャン画像をＲＡＭコントローラ３３を介してＲＡＭ２５に格納する。
【００１８】
画像処理部２６は、ＲＡＭ２５に記憶されているスキャン画像に対し、ガンマ補正、シェーディング補正などの画像処理を施すための信号処理をＣＰＵ２３と協働して行うＤＳＰ（Digital Signal Processor）である。
位置選択手段としての外部インタフェースコントローラ２７は、イメージスキャナ１とＰＣ（Personal Computer）などの外部システムとを通信可能に接続する。外部インタフェースコントローラ２７は、外部システムから位置指定信号を受信することで、キャリッジ１３を停止させる位置を選択する位置選択手段として機能する。なお、イメージスキャナ１の図示しない操作部で停止させる位置を選択するようにしてもよい。
【００１９】
ガイドロッド１４、プーリ１９、ベルト２０、ＣＰＵ２３、およびキャリッジコントローラ３２は、特許請求の範囲に記載の「搬送部」に相当する。ＣＰＵ２３、および外部インタフェースコントローラ２７は、特許請求の範囲に記載の「位置選択手段」に相当する。
次に、面光源２２について説明する。
【００２０】
図３（Ａ）はキャリッジ１３を上から見た模式図であり、図３（Ｂ）は図３（Ａ）に示すＩＩ−ＩＩ線の断面図である。図３（Ａ）においてＸ方向は主走査方向であり、Ｙ方向は副走査方向である。キャリッジ１３は主走査方向の幅が狭い小幅部１３ａと、小幅部１３ａよりも主走査方向の幅が広い大幅部１３ｂとを有している。反射原稿用光源１５は大幅部１３ｂに収容されており、面光源２２は小幅部１３ａに収容されている。
【００２１】
面光源２２は、ライトパイプ３５、導光板３６、光を反射する反射シート３７、及び光を拡散させる性質を持つ半透明な拡散シート３８を備える。面光源２２は、主走査方向の中心が原稿載置面１０ａの主走査方向の中心と一致するように設けられている。
導光板３６は透明度の高いガラス等で形成されている。拡散シート３８は導光板３６の上面に貼り付けられている。反射シート３７は導光板３６の下面と、導光板３６の４つの端面のうちの対抗する２つの端面とに貼り付けられている。なお、第一実施例では導光板３６を用いる場合を例に説明するが、必ずしも導光板３６を用いる必要はない。具体的には例えば、拡散シート３８の代わりに拡散シート３８より強度の高い拡散板を用い、また、反射シート３７の代わりに反射シート３７より強度の高い反射板を用いると、それらは導光板３６がなくても姿勢を維持できるので、導光板３６を不要にすることができる。
【００２２】
２つのライトパイプ３５は、導光板３６の４つの端面のうち、反射シート３７が貼り付けられていない２つの端面に沿って配置されている。ライトパイプ３５は、白色の光を放射する発光ダイオード３５ａと、図４（Ａ）および図４（Ｂ）に示すように発光ダイオード３５ａから放射された光を導光板３６内に入射させる反射板３５ｂとを有している。ここで図４（Ｂ）は図４（Ａ）に示すＩＩ−ＩＩ線の断面図である。反射板３５ｂは図４（Ｂ）に示すように溝を形成する形状に形成されており、反射板３５ｂの内壁面と導光板３６の端面とによって主走査方向の両端が開口した開空間が形成されている。発光ダイオード３５ａは、反射板３５ｂと導光板３６とによって形成されている開空間の両端に当該開空間を閉じるようにして設けられている。発光ダイオード３５ａとしては、白色発光ダイオードを設けてもよいし、赤色発光ダイオード、青色発光ダイオード、及び緑色発光ダイオードの３つを設けてもよい。
【００２３】
発光ダイオード３５ａの光は図４（Ａ）に示すように開空間に向かって放射され、放射された光は直接、あるいは反射板３５ｂに反射されて導光板３６に入射する。導光板３６に入射した光は図４（Ｂ）に示すように反射シート３７によって反射されながら導光板３６内を進行して拡散シート３８に入射する。拡散シート３８に入射した光は拡散シート３８で拡散されて上方に面均一に放射される。なお、図４（Ｂ）では理解を容易にするため導光板３６の切断面については平行斜線を省略して示している。
【００２４】
次に、透過原稿の載置について説明する。
図５は、原稿載置面１０ａに載置されている透過原稿を模式的に示す上面図である。第一実施例では透過原稿として複数の画像が一定の間隔をおいて記録されている３５ｍｍストリップフィルム（以下「ストリップフィルム」という）を例に説明する。なお、透過原稿は例えば３５ｍｍマウントフィルムであってもよい。図中の網掛け領域はストリップフィルム４１および４２において画像が記録されている領域を示しており、以降の説明では画像が形成されている各領域のことをフレームというものとする。
【００２５】
第一実施例ではストリップフィルム４１および４２はホルダ４３に保持されて原稿台１０上に位置決めされる。具体的には例えば、ホルダ４３が原稿台１０と筐体３９（図１参照）との段差３９ａ（図１参照）に当接して位置決めされることによってストリップフィルム４１および４２が原稿載置面１０ａ上に位置決めされて載置される。２つのストリップフィルム４１および４２のうち、原稿載置面１０ａの主走査方向の中心に位置している方のストリップフィルム４１が読み取り対象となる。また、第一実施例では面光源２２は主走査方向の中心位置が原稿載置面１０ａの主走査方向の中心位置に重なるように設けられているので、面光源２２が点灯したとき、ストリップフィルム４１のみ内容を確認可能である。なお、ストリップフィルム４１およびストリップフィルム４２の内容を同時に確認できるだけの大きさの面光源を備えてもよい。図５において破線４４で示すキャリッジ１３はホームポジションにあるキャリッジ１３であって、面光源２２が点灯されていないキャリッジ１３を示している。面光源２２が点灯されていないので各フレームに記録されている画像はいずれも暗く、フレームにどのような画像が記録されているのかを確認したり、記録されている画像の微妙な色あいを確認したりすることは困難である。
【００２６】
次に、イメージスキャナ１の作動について説明する。
始めに、面光源２２でフレームを照明する作動について説明する。この作動は、ユーザがＰＣを操作してストリップフィルムのフレームを選択し、キャリッジ１３の移動を指示すると開始される。
ユーザがキャリッジ１３の移動を指示すると、選択されたフレーム位置を示す位置指定信号がＰＣからイメージスキャナ１に送信される。外部インタフェースコントローラ２７を介して位置指定信号を受信したＣＰＵ２３は、面光源コントローラ３２を制御して発光ダイオード３５ａを点灯させるとともに、キャリッジコントローラ３２を制御してキャリッジ１３を搬送し、位置指定信号が示すフレーム位置でキャリッジ１３を停止させる。
【００２７】
図６は、選択されたフレーム位置でキャリッジ１３を停止した様子を模式的に示す上面図である。図６はユーザが３番目のフレームを選択した場合を示している。キャリッジ１３を停止すると選択されたフレームが面光源２２によって図示するように面均一に照明されるので、ユーザはフレームの内容を容易に確認することができる。
【００２８】
ＣＰＵ２３は、ユーザが別のフレームを選択してキャリッジ１３の移動を指示する毎に、当該別のフレームが面光源２２に照明される位置にキャリッジ１３を搬送させる。これによりユーザはストリップフィルム４１の任意のフレームの内容を確認できる。このように、面光源２２をキャリッジ１３に搭載して搬送するので、小さな面光源２２でストリップフィルム４１全体を確認することができる。よって、ストリップフィルム４１の内容を確認するためのコストを低減できる。
【００２９】
なお、例えば、ホルダ４３にマウントフィルムを保持させた場合とストリップフィルムを保持させた場合とではフレームの位置が異なるので、マウントフィルムとストリップフィルムとではキャリッジ１３が停止する位置は必ずしも一致しない。
また、第一実施例ではユーザがフレームを選択する場合を例に説明したが、ユーザがキャリッジ１３の移動を指示するとキャリッジ１３のホームポジションに最も近いフレームが照明される位置までキャリッジ１３を搬送し、以降、キャリッジ１３の移動が指示される毎に隣のフレームを順に照明していくようにしてもよい。
【００３０】
次に、ストリップフィルムを読み取る作動について説明する。この作動は、ストリップフィルムが図５に示すように原稿載置面１０ａに載置されている状態で、ユーザがＰＣを操作してイメージスキャナ１に読み取りを指示すると開始される。なお、ストリップフィルムの読み取りでは、ユーザにフレームを選択させて選択されたフレームだけを読み取ってもよいし、全てのフレームを一括して読み取ってもよい。
（１）ＣＰＵ２３は、透過原稿用光源１１ａを点灯させるとともに、キャリッジコントローラ３２を制御してキャリッジ１３を一定の速度で搬送させる。
（２）ＣＰＵ２３は、イメージセンサコントローラ３１を制御してシフトパルス等の駆動パルスをイメージセンサ１８に所定のシーケンスで入力する。これによりフレームの主走査線上の透過光像に相関した量の電荷（信号電荷）がイメージセンサ１８に蓄積され、蓄積された電荷はＣＣＤ等により画像信号としてＡＦＥ部２１に出力される。
（３）ＡＦＥ部２１は、出力された画像信号に所定の処理を施してディジタル画像データに変換し、画像処理部２６に出力する。
（４）画像処理部２６は、ディジタル画像データに所定の処理を施し、ＰＣに転送する。
【００３１】
上述した（２）〜（４）の処理を繰り返すことにより、フレームに記録されている画像を表す画像データがＰＣにおいて取得される。
反射原稿を読み取る作動については、原稿カバー１２の原稿台１０側に透過原稿照明部１１を覆う原稿マットが取り付けられること、および反射原稿用光源１５から光が放射されること以外は透過原稿を読み取る作動と実質的に同一であるため、詳細な説明は省略する。
【００３２】
以上説明した本発明の第一実施例に係るイメージスキャナ１によると、原稿台１０に載置されている透過原稿を読み取るので、イメージスキャナ１の横に読み取り可能な最大サイズの透過原稿の幅分の空間が必要なく、設置空間は読み取り可能な最大サイズの透過原稿の概ね１つ分でよい。従って設置空間を小さくできる。また、キャリッジ１３に面光源２２を搭載しているので、面光源２２を移動することにより、ストリップフィルムより小さい面光源２２でストリップフィルム全体を確認できる。よって、面光源２２のコストを低減でき、ストリップフィルムの内容を確認するためのコストを低減できる。
【００３３】
（第二実施例）
図７（Ａ）は本発明の第二実施例に係る画像読み取り装置のキャリッジ５０を上面から見た模式図であり、図７（Ｂ）は図７（Ａ）に示すＩＩ−ＩＩ線の断面図である。第二実施例の面光源５１は、導光板３６、反射シート５２、拡散シート３８、およびライトパイプ５３を備えている。反射シート５２は、導光板３６の主走査方向の両端面、反射原稿用光源１５とは逆側の端面、および下面に貼り付けられており、反射原稿用光源１５側の端面には反射シートは貼り付けられていない。第二実施例のライトパイプ５３は図７（Ｂ）に示すように２つの反射板５３ａ、５３ｂで構成されている。２つの反射板５３ａ、５３ｂは導光板３６と反射原稿用光源１５との間に上下に離間して平行に配置されており、反射原稿用光源１５から放射された光を導光板３６の端面まで導光する。これにより反射原稿用光源１５から放射された光の一部が導光板３６に入射し、原稿台１０に向かって面均一に放射される。
第二実施例の画像読み取り装置によると、面光源５１の光源として反射原稿用光源１５を用いるので、面光源５１用の光源を別途備える必要がなく、画像読み取り装置のコストを低減できる。
【００３４】
（第三実施例）
図８（Ａ）は本発明の第三実施例に係る画像読み取り装置のキャリッジ６０を上面から見た模式図であり、図８（Ｂ）は図８（Ａ）に示すＩＩ−ＩＩ線の断面図である。第三実施例の面光源６１は、導光板３６、複数の発光ダイオード６２、第二実施例で説明した反射シート５２、および拡散シート３８を備えている。第三実施例では導光板３６の端面であって主走査方向に延びる２つの端面の一方に沿って複数の発光ダイオード６２が配置されており、発光ダイオード６２から放射された光が導光板３６内に直接入射する。なお、発光ダイオード６２は導光板３６のいずれの端面に配置してもよいし、複数の端面に配置してもよい。
【００３５】
第三実施例の画像読み取り装置によると、面光源６１の光源として複数の発光ダイオード６２を備え、それらが発光する光が導光板３６に直接入射するので、第一実施例の面光源２２に比べてより明るい光を放射できる。従って、ストリップフィルムの内容をより容易に確認できる。
【００３６】
（第四実施例）
図９（Ａ）は本発明の第四実施例に係る画像読み取り装置のキャリッジ７０を上面から見た模式図であり、図９（Ｂ）は図９（Ａ）に示すＩＩ−ＩＩ線の断面図である。第四実施例の画像読み取り装置は、第三実施例の画像読み取り装置の発光ダイオード６２を、図９（Ｂ）に示すように白色冷陰極蛍光ランプなどの照明装置５３に置き換え、照明装置５３を囲うように反射板５４を備えたものである。第四実施例の画像読み取り装置の効果は第三実施例の画像読み取り装置の効果と実質的に同一である。
【００３７】
尚、本発明は、原稿台１０に対してイメージセンサ及びレンズの位置を固定し、複数のミラーを連動して移動させることによって主走査線を移動させるミラー移動型イメージスキャナにも適応できる。さらに本発明は、画像読み取り機能を備えた複写機やファクシミリにも適用できる。
【図面の簡単な説明】
【００３８】
【図１】本発明の第一実施例に係る画像読み取り装置の内部構造を示す模式図。
【図２】本発明の第一実施例に係る画像読み取り装置のブロック図。
【図３】（Ａ）は本発明の第一実施例に係るキャリッジを上から見た模式図、（Ｂ）は（Ａ）に示すＩＩ−ＩＩ線の断面図。
【図４】（Ａ）は本発明の第一実施例に係る面光源を上から見た模式図、（Ｂ）は（Ａ）に示すＩＩ−ＩＩ線の断面図。
【図５】本発明の第一実施例に係る画像読み取り装置を上から見た模式図。
【図６】本発明の第一実施例に係る画像読み取り装置を上から見た模式図。
【図７】（Ａ）は本発明の第二実施例に係るキャリッジを上から見た模式図、（Ｂ）は（Ａ）に示すＩＩ−ＩＩ線の断面図。
【図８】（Ａ）は本発明の第三実施例に係るキャリッジを上から見た模式図、（Ｂ）は（Ａ）に示すＩＩ−ＩＩ線の断面図。
【図９】（Ａ）は本発明の第四実施例に係るキャリッジを上から見た模式図、（Ｂ）は（Ａ）に示すＩＩ−ＩＩ線の断面図。
【符号の説明】
【００３９】
１  イメージスキャナ、１０  原稿台（プラテン）、１０ａ  原稿載置面、１１ａ  透過原稿用光源（第一の光源）、１３  キャリッジ、１４  ガイドロッド（搬送部）、１５  反射原稿用光源（第二の光源）、１８  イメージセンサ、１９  プーリ（搬送部）、２０  ベルト（搬送部）、２２  面光源、２３  ＣＰＵ（搬送部、位置選択手段）、２７  外部インタフェースコントローラ（位置選択手段）、３２  キャリッジコントローラ（搬送部）、５０  キャリッジ、５１  面光源、６０  キャリッジ、６１  面光源、７０  キャリッジ
【図１】
2006253926.tif 000003
【図２】
2006253926.tif 000004
【図３】
2006253926.tif 000005
【図４】
2006253926.tif 000006
【図５】
2006253926.tif 000007
【図６】
2006253926.tif 000008
【図７】
2006253926.tif 000009
【図８】
2006253926.tif 000010
【図９】
2006253926.tif 000011